(57)【要約】【課題】使用状態ではハンドルバーを確実に支持固定して安全を確保できると共に、折畳み操作も容易に行えるハンドル折畳み構造を提供する。【解決手段】ハンドルバー１１、１２を所定範囲回動可能に支持するハンドル支持部２０、ハンドルバー１１、１２の固定と可動を切替えるハンドル固定レバー３０、及びハンドル固定レバー３０の回動を規制するストッパ４０をそれぞれ配設し、直線状に配置したハンドルバー１１、１２に対しハンドル固定レバー３０を当接させ、且つハンドル固定レバー３０にはストッパ４０を係合させてハンドル使用可能状態を得る一方、ストッパ４０を解除し、ハンドル固定レバー３０をハンドルバー１１、１２から離隔させると各ハンドルバー１１、１２を容易に折畳めることから、ハンドル固定レバー３０操作でハンドル使用と折畳みを容易に切替えられ、操作性に優れる。【選択図】　図１
2004034937.tif 000002
【特許請求の範囲】
【請求項１】
左右で独立させて配設される操縦用の一対のハンドルバーを、ハンドルステムに対しそれぞれ横方向に延びた使用時位置からハンドルステムと略平行をなす折畳み位置に移行するまで折畳み可能とするハンドル折畳み構造において、
略Ｕ字状断面形状を有して前記ハンドルステム上側にＵ字形の開放側を上向きとして配設され、ハンドルステムに対し略直角向きで互いに所定間隔で平行な配置となる二つの回動軸を中心として前記ハンドルバーをそれぞれ回動可能に軸支し、ハンドルバーのハンドルステムに対する前後左右方向の動き及び前記使用時位置より上方への回動を規制するハンドル支持部と、
略円柱状部分及び当該略円柱状部分外周から延伸する略棒状部分で形成され、回動中心を円柱軸中心から偏心させて前記ハンドル支持部の前記ハンドルバー軸支部分より上側に軸支され、回動によりハンドルバーのいずれか一方又は両方と当接してハンドルバーを前記使用時位置で固定する状態、及びハンドルバーから離隔してハンドルバーの回動を規制しない状態とを切替可能とされてなるハンドル固定レバーと、
前記ハンドル支持部に配設され、前記ハンドルバーを前記使用時位置で固定可能な回動位置に達した前記ハンドル固定レバーと係脱可能に係合してハンドル固定レバーの回動を規制するストッパとを備えることを
特徴とするハンドル折畳み構造。
【請求項２】
前記請求項１に記載のハンドル折畳み構造において、
前記ハンドルバーが、前記使用時位置で前記ハンドル支持部上における一方のハンドルバー端面が他方のハンドルバー端面の上側に載る状態で端面同士互いに当接する端面形状とされてなり、
前記ハンドル固定レバーが、前記一方のハンドルバーのみに前記略円柱状部分を当接させる配置とされることを
特徴とするハンドル折畳み構造。
【発明の詳細な説明】
【０００１】
【発明の属する技術分野】
本発明は、折畳み自転車等のハンドル折畳み構造に関し、特に折畳み状態をコンパクトにしつつ使用状態におけるハンドル強度を確保できるハンドル折畳み構造に関する。
【０００２】
【従来の技術】
自転車の持運び時の可搬性や収納時の収納し易さを向上させるため、自転車のフレームを折畳んでコンパクト化を図れる折畳み自転車が従来から広く用いられている。従来の折畳み自転車では、フレームにおける前輪と後輪の中間位置に蝶番部を設け、この蝶番部を中心に折畳んで前輪と後輪とを近接させ、全体の寸法を小さくする構造が一般的であった。
【０００３】
こうした従来の折畳み自転車において、ハンドル部も幅方向に大きなスペースを占めるため、ハンドルバーを後方や下方に折畳んで幅方向の寸法を小さくするようにしていた。
【０００４】
【発明が解決しようとする課題】
従来のハンドル折畳み構造は以上のように構成されていることから、工具を使ったりそのまま操作したりしてハンドルバーの固定を解除し、折畳み状態としてコンパクト化が図れるものの、使用時の強度の面で問題があるものも多く、特に、操作性に優れるハンドル折畳み構造の場合、折畳みやその逆の展開・組立を素早く容易に行える分、強度が劣り、ハンドルバーががたついたりするだけでなく、使用時の振動や衝撃で固定部分が壊れて急にハンドルバーが動くなど、使用の際に安全を保てない危険性があるという課題を有していた。
【０００５】
このため、使用時の安全性を重視する場合、ハンドルバーとハンドルステムとの結合部分に荷重を十分に負担可能な部材を用いて強度を増す構造が採用されている。このような従来のハンドル折畳み構造の一例として、実登３０７３１８６号公報に記載されるものがあり、これを図４に示す。図４は従来のハンドル折畳み構造の立体分解図である。
【０００６】
前記図４に示すように、従来のハンドル折畳み構造は、二本のハンドルバー１０１を横方向に固定した状態から下垂した折畳み状にすることができるものであり、早分解柄１０３を起して緊迫片１０２を緩め、支点位置のボルト１０４の拡大部１０４ａをハンドルバー１０１の拡大孔から押出し、さらにハンドルバー１０１を横に引出した後、下に折畳むことができる。一方、組立時は、ハンドルバー１０１を横方向に回転させ、緊迫片１０２の下へ押入れ、早分解柄１０３を押下げると緊迫片１０２によりハンドルバー１０１が挟まれて固定される。
【０００７】
この従来のハンドル折畳み構造は、ハンドルバーが固定されている使用時の強度は高いものの、構造が複雑化してコスト的に不利になるだけでなく、ハンドルバーの折畳みや展開組立の作業に手間がかかり、使用者にとって利用しにくく不便であるという課題を有していた。
【０００８】
本発明は前記課題を解決するためになされたもので、使用状態ではハンドルバーを確実に支持固定して安全を確保できると共に、折畳み操作も容易に行えるハンドル折畳み構造を提供することを目的とする。
【０００９】
【課題を解決するための手段】
本発明に係るハンドル折畳み構造は、左右で独立させて配設される操縦用の一対のハンドルバーを、ハンドルステムに対しそれぞれ横方向に延びた使用時位置からハンドルステムと略平行をなす折畳み位置に移行するまで折畳み可能とするハンドル折畳み構造において、略Ｕ字状断面形状を有して前記ハンドルステム上側にＵ字形の開放側を上向きとして配設され、ハンドルステムに対し略直角向きで互いに所定間隔で平行な配置となる二つの回動軸を中心として前記ハンドルバーをそれぞれ回動可能に軸支し、ハンドルバーのハンドルステムに対する前後左右方向の動き及び使用時位置より上方への回動を規制するハンドル支持部と、略円柱状部分及び当該略円柱状部分外周から延伸する略棒状部分で形成され、回動中心を円柱軸中心から偏心させて前記ハンドル支持部の前記ハンドルバー軸支部分より上側に軸支され、回動によりハンドルバーのいずれか一方又は両方と当接してハンドルバーを使用時位置で固定する状態、及びハンドルバーから離隔してハンドルバーの回動を規制しない状態とを切替可能とされてなるハンドル固定レバーと、前記ハンドル支持部に配設され、前記ハンドルバーを使用時位置で固定可能な回動位置に達した前記ハンドル固定レバーと係脱可能に係合してハンドル固定レバーの回動を規制するストッパとを備えるものである。
【００１０】
このように本発明においては、ハンドルバーを所定範囲回動可能に支持しつつ回動範囲以外への動きは規制するハンドル支持部、ハンドルバーの固定と可動を切替えるハンドル固定レバー、及びハンドル固定レバーの回動を規制するストッパをそれぞれ配設し、ハンドル支持部上で直線状に並べたハンドルバーに対しハンドル固定レバーを回動させて当接させ、ハンドルバー固定状態となったハンドル固定レバーにはストッパが係合してハンドルを使用可能な状態を得られる一方、ストッパを解除し、ハンドル固定レバーをハンドルバーから離れる向きに回動させると各ハンドルバーを容易に折畳めることにより、ハンドル固定レバー操作でハンドルバーの固定状態と可動状態を容易且つ速やかに切替えられ、操作性に優れると共に、使用状態ではハンドル支持部とハンドル固定レバーでハンドルバーの動きを確実に規制でき、がたつきも発生しない。また、ストッパでハンドル固定レバーを固定状態に保持でき、ハンドル固定レバーの緩みもなく、使用を経てもハンドルバーの固定状態を維持でき、安全性を高められる一方、折畳み操作時は容易にストッパを解除して速やかにハンドル固定レバーを操作でき、安全性を確保しつつ使い勝手を飛躍的に高められる。
【００１１】
また、本発明に係るハンドル折畳み構造は必要に応じて、前記ハンドルバーが、前記使用時位置で前記ハンドル支持部上における一方のハンドルバー端面が他方のハンドルバー端面の上側に載る状態で端面同士互いに当接する端面形状とされてなり、前記ハンドル固定レバーが、前記一方のハンドルバーのみに前記略円柱状部分を当接させる配置とされるものである。
【００１２】
このように本発明においては、各ハンドルバーを使用時位置でハンドル支持部上における一方のハンドルバー端面が他方のハンドルバー端面に載る状態で当接する端面形状として形成すると共に、ハンドル固定レバーを一方のハンドルバーのみに当接する配置とすることにより、ハンドル固定レバーをハンドルバーに当接させる際に、作業者は端部が上側に位置するハンドルバーのみ保持すれば他方のハンドルバーも動かさずに保持できることとなり、ハンドル固定レバー操作を行いやすいと共に、ハンドル固定レバーで一方のハンドルバーを固定するだけで確実に左右のハンドルバーを固定させられ、簡略な構造で安全を確保できる。
【００１３】
【発明の実施の形態】
以下、本発明の一実施の形態を図１に基づいて説明する。図１は本実施の形態に係るハンドル折畳み構造の概略構成図、図２は本実施の形態に係るハンドル折畳み構造における使用状態及びハンドルバー非固定状態の各説明図、図３は本実施の形態に係るハンドル折畳み構造におけるハンドルバー折畳み過程及び折畳み状態の各説明図である。
【００１４】
前記各図において本実施形態に係るハンドル折畳み構造は、ハンドルステム５０に対し左右独立に配設される一対のハンドルバー１１、１２と、略Ｕ字状断面形状を有してハンドルステム５０上側に配設され、ハンドルバー１１、１２をそれぞれ回動可能に軸支するハンドル支持部２０と、所定の円形部分及びこの円形部分から延伸する略棒状部分で形成されてハンドル支持部２０のハンドルバー１１、１２軸支部分より上側に軸支されるハンドル固定レバー３０と、前記ハンドル支持部２０に配設され、ハンドル固定レバー３０と係脱可能に係合してハンドル固定レバー３０の回動を規制するストッパ４０とを備える構成である。
【００１５】
前記ハンドルバー１１、１２は、それぞれ略円筒体で形成され、ハンドルステム５０に対し略直角向きで互いに所定間隔で平行な配置となる二つの回動軸を中心として前記ハンドル支持部２０上にそれぞれ回動可能に軸支され、ハンドルステム５０に対しそれぞれ横方向に延びた使用時位置からハンドルステム５０と略平行をなして垂下がった折畳み位置に移行するまで折畳み可能とされる構成である。これらハンドルバー１１、１２は、ハンドル支持部２０上の各端面形状を筒軸方向に対する傾斜面とされてなり、前記使用時位置でハンドル支持部２０上における一方のハンドルバー１１端面が他方のハンドルバー１２端面の上側に載る状態で端面同士互いに当接する構成である。
【００１６】
前記ハンドル支持部２０は、略Ｕ字状断面形状を有して前記ハンドルステム５０上側にＵ字形の開放側を上向きとして固定配設され、ハンドルバー１１、１２をそれぞれ回動可能に軸支し、ハンドルバー１１、１２のハンドルステム５０に対する前後左右方向の動き及び前記使用時位置より上方への回動を規制する構成である。
【００１７】
前記ハンドル固定レバー３０は、略円柱状部分及びこの略円柱状部分外周から延伸する略棒状部分で形成され、回動中心を円柱軸中心から偏心させて前記ハンドル支持部２０の前記ハンドルバー１１、１２軸支部分より上側に軸支され、略円柱状部分が回動によりハンドルバー１１と当接してハンドルバー１１、１２を使用時位置で固定する状態、及びハンドルバー１１から離隔してハンドルバー１１、１２の回動を規制しない状態とを切替可能とされてなる構成である。
【００１８】
前記ストッパ４０は、ハンドル支持部２０のハンドル固定レバー３０回動範囲に一部ハンドル支持部２０を貫通して配設され、前記ハンドルバー１１、１２を使用時位置で固定可能な回動位置に達したハンドル固定レバー３０のストッパ孔３１に対し係脱可能に係合し、ハンドル固定レバー３０の回動を規制してハンドルバー１１、１２の使用時位置固定状態を保持する仕組みである。
【００１９】
次に、前記構成に基づくハンドル折畳み構造におけるハンドル折畳み及び展開組立各操作状態について説明する。まず、ハンドル折畳み操作では、始めにストッパ４０のハンドル固定レバー３０との係合状態を解除し、ハンドル固定レバー３０を回動可能な状態とする。そして、ハンドルバー１１を手で動かないよう支えながら、ハンドル固定レバー３０の略棒状部分を動かしてハンドルバー１１からハンドル固定レバー３０の略円柱状部分を離隔させる。こうしてハンドルバー１１、１２が動かせる状態となったら、各ハンドルバー１１、１２をハンドルステム５０と略平行となるまで下方へ折畳む。
【００２０】
一方、ハンドル展開組立操作では、折畳み状態のハンドルバー１１、１２をハンドルステム５０に対し略直角をなす向きまで持上げて展開し、ハンドル支持部２０上で一方のハンドルバー１１端面が他方のハンドルバー１２端面の上側に載って端面同士互いに当接した状態としたら、ハンドルバー１１を動かないよう手で支えて両方のハンドルバー１１、１２共動かないようにしておく。ハンドルバー１１を支えたまま、ハンドル固定レバー３０を回動させてハンドル固定レバー３０の略円柱状部分をハンドルバー１１に当接させる。そして、ハンドル固定レバー３０をストッパ４０と係合させられる位置まで回動させたら、ストッパ４０をハンドル固定レバー３０に係合させる。こうして、ハンドル固定レバー３０の回動が規制され、ハンドルバー１１、１２の使用時位置固定状態が保持される。
【００２１】
このように、本実施形態に係るハンドル折畳み構造においては、ハンドルバー１１、１２を回動可能に支持するハンドル支持部２０、ハンドルバー１１、１２の固定と可動を切替えるハンドル固定レバー３０、及びハンドル固定レバー３０の回動を規制するストッパ４０をそれぞれ配設し、ハンドル支持部２０上で直線状に並べたハンドルバー１１、１２に対しハンドル固定レバー３０を回動させて当接させ、ハンドルバー固定状態となったハンドル固定レバー３０にはストッパ４０が係合してハンドル使用可能状態を得られる一方、ストッパ４０を解除し、ハンドル固定レバー３０をハンドルバー１１、１２から離れる向きに回動させると各ハンドルバー１１、１２を容易に折畳めることから、ハンドル固定レバー３０操作でハンドルバー１１、１２の固定状態と可動状態を容易且つ速やかに切替えられ、操作性に優れると共に、使用状態ではハンドル支持部２０とハンドル固定レバー３０でハンドルバー１１、１２の動きを確実に規制でき、がたつきも発生しない。また、ストッパ４０でハンドル固定レバー３０を固定状態に保持でき、使用を経てもハンドルバー１１、１２の固定状態を維持でき、安全性を高められる一方、折畳み操作時は速やかにストッパ４０を解除してハンドル固定レバー３０を操作でき、安全性を確保しつつ使い勝手を向上させられる。
【００２２】
【発明の効果】
以上のように本発明によれば、ハンドルバーを所定範囲回動可能に支持しつつ回動範囲以外への動きは規制するハンドル支持部、ハンドルバーの固定と可動を切替えるハンドル固定レバー、及びハンドル固定レバーの回動を規制するストッパをそれぞれ配設し、ハンドル支持部上で直線状に並べたハンドルバーに対しハンドル固定レバーを回動させて当接させ、ハンドルバー固定状態となったハンドル固定レバーにはストッパが係合してハンドルを使用可能な状態を得られる一方、ストッパを解除し、ハンドル固定レバーをハンドルバーから離れる向きに回動させると各ハンドルバーを容易に折畳めることにより、ハンドル固定レバー操作でハンドルバーの固定状態と可動状態を容易且つ速やかに切替えられ、操作性に優れると共に、使用状態ではハンドル支持部とハンドル固定レバーでハンドルバーの動きを確実に規制でき、がたつきも発生しないという効果を奏する。また、ストッパでハンドル固定レバーを固定状態に保持でき、ハンドル固定レバーの緩みもなく、使用を経てもハンドルバーの固定状態を維持でき、安全性を高められる一方、折畳み操作時は容易にストッパを解除して速やかにハンドル固定レバーを操作でき、安全性を確保しつつ使い勝手を飛躍的に高められるという効果を有する。
【００２３】
また、本発明によれば、各ハンドルバーを使用時位置でハンドル支持部上における一方のハンドルバー端面が他方のハンドルバー端面に載る状態で当接する端面形状として形成すると共に、ハンドル固定レバーを一方のハンドルバーのみに当接する配置とすることにより、ハンドル固定レバーをハンドルバーに当接させる際に、作業者は端部が上側に位置するハンドルバーのみ保持すれば他方のハンドルバーも動かさずに保持できることとなり、ハンドル固定レバー操作を行いやすいと共に、ハンドル固定レバーで一方のハンドルバーを固定するだけで確実に左右のハンドルバーを固定させられ、簡略な構造で安全を確保できるという効果を有する。
【図面の簡単な説明】
【図１】本発明の一実施の形態に係るハンドル折畳み構造の概略構成図である。
【図２】本発明の一実施の形態に係るハンドル折畳み構造における使用状態及びハンドルバー非固定状態の各説明図である。
【図３】本発明の一実施の形態に係るハンドル折畳み構造におけるハンドルバー折畳み過程及び折畳み状態の各説明図である。
【図４】従来のハンドル折畳み構造の立体分解図である。
【符号の説明】
１１、１２　ハンドルバー
２０　　　　ハンドル支持部
３０　　　　ハンドル固定レバー
３１　　　　ストッパ孔
４０　　　　ストッパ
５０　　　　ハンドルステム
１０１　　　ハンドルバー
１０３　　　早分解柄
１０２　　　緊迫片
１０４　　　ボルト
１０４ａ　　拡大部
【図１】
2004034937.tif 000003
【図２】
2004034937.tif 000004
【図３】
2004034937.tif 000005
【図４】
2004034937.tif 000006